(57)【特許請求の範囲】
【請求項１】
第１の周波数帯と、前記第１の周波数帯より低い第２の周波数帯と、前記第１の周波数帯より高い第３の周波数帯とがあり、前記第１の周波数帯に含まれる希望波成分の周波数を受信する無線受信装置であって、
周波数変換に用いるローカル信号を出力する局部発振部と、
前記第２の周波数帯および前記第３の周波数帯のうち、前記希望波成分の周波数に近い一方の周波数帯に存在する妨害波成分が直流成分に周波数変換されるよう前記ローカル信号の出力周波数を調整する制御部と、
前記局部発振部から出力されたローカル信号の位相を９０ 度ずらす位相調整部と、
無線信号を前記局部発振部から出力されたローカル信号を用いて周波数変換する第１の周波数変換部と、
前記無線信号を前記位相調整部で位相調整されたローカル信号を用いて周波数変換する第２の周波数変換部と、
前記第１の周波数変換部から出力された信号と前記第２の周波数変換部から出力された信号とを合成する合成部と、
前記合成部から出力された信号の直流成分を抑圧する直流成分抑圧部と、
前記第２の周波数帯および前記第３の周波数帯のうち、前記直流成分抑圧部から出力された信号の前記希望波成分の周波数から離れた他方の周波数帯の妨害波成分を抑圧する低域通過型フィルタと、を備えた無線受信装置。
【請求項２】
前記制御部は、前記第２の周波数帯が、前記第３の周波数帯より、前記希望波成分の周波数に近いとき、前記第２の周波数帯に存在する妨害波成分が直流成分に周波数変換されるよう前記ローカル信号の出力周波数を調整し、
前記低域通過型フィルタは、前記第２の周波数帯が、前記第３の周波数帯より、前記希望波成分の周波数に近いとき、前記第３の周波数帯の妨害波成分を抑圧することを特徴とする請求項１記載の無線受信装置。
【請求項３】
前記制御部は、前記第３の周波数帯が、前記第２の周波数帯より、前記希望波成分の周波数に近いとき、前記第３の周波数帯に存在する妨害波成分が直流成分に周波数変換されるよう前記ローカル信号の出力周波数を調整し、
前記低域通過型フィルタは、前記第３の周波数帯が、前記第２の周波数帯より、前記希望波成分の周波数に近いとき、前記第２の周波数帯の妨害波成分を抑圧することを特徴とする請求項１記載の無線受信装置。
【請求項４】
第１の周波数帯と、前記第１の周波数帯より低い第２の周波数帯と、前記第１の周波数帯より高い第３の周波数帯とがあり、前記第１の周波数帯に含まれる希望波成分の周波数を受信する無線受信装置であって、
周波数変換に用いるローカル信号を出力する局部発振部と、
前記第２の周波数帯および前記第３の周波数帯のうち、前記希望波成分の周波数に近い一方の周波数帯に存在する妨害波成分が直流成分近傍に周波数変換されるよう前記ローカル信号の出力周波数を調整する制御部と、
前記局部発振部から出力されたローカル信号の位相を９０ 度ずらす位相調整部と、
無線信号を前記局部発振部から出力されたローカル信号を用いて周波数変換する第１の周波数変換部と、
前記無線信号を前記位相調整部で位相調整されたローカル信号を用いて周波数変換する第２の周波数変換部と、
前記第１の周波数変換部から出力された信号と前記第２の周波数変換部から出力された信号とを合成する合成部と、
前記合成部から出力された信号の直流成分近傍を抑圧する直流成分近傍抑圧部と、
前記第２の周波数帯および前記第３の周波数帯のうち、前記直流成分近傍抑圧部から出力された信号の前記希望波成分の周波数帯から離れた他方の周波数帯の妨害波成分を抑圧する低域通過型フィルタと、を備えた無線受信装置。
【請求項５】
前記制御部は、前記第２の周波数帯が、前記第３の周波数帯より、前記希望波成分の周波数に近いとき、前記第２の周波数帯に存在する妨害波成分が直流成分近傍に周波数変換されるよう前記ローカル信号の出力周波数を調整し、
前記低域通過型フィルタは、前記第２の周波数帯が、前記第３の周波数帯より、前記希望波成分の周波数に近いとき、前記第３の周波数帯の妨害波成分を抑圧することを特徴とする請求項４記載の無線受信装置。
【請求項６】
前記制御部は、前記第３の周波数帯が、前記第２の周波数帯より、前記希望波成分の周波数に近いとき、前記第３の周波数帯に存在する妨害波成分が直流成分近傍に周波数変換されるよう前記ローカル信号の出力周波数を調整し、
前記低域通過型フィルタは、前記第３の周波数帯が、前記第２の周波数帯より、前記希望波成分の周波数に近いとき、前記第２の周波数帯の妨害波成分を抑圧することを特徴とする請求項４記載の無線受信装置。
【発明の詳細な説明】
【技術分野】
【０００１】
本発明は、地上波デジタル音声放送を受信するラジオなどに用いて好適な無線受信装置に関する。
【背景技術】
【０００２】
従来、無線受信信号の周波数帯の両側に存在する妨害波を抑圧することが可能な無線受信装置が提案されている（特許文献１参照）。以下、図７〜図１０を参照して特許文献１で開示された無線受信装置について説明する。
【０００３】
図７は、特許文献１で開示された無線受信装置の概略構成を示すブロック図である。図７に示す無線受信装置は、無線信号（ＲＦ信号）を増幅するＲＦＡＧＣ（自動利得制御機能を備えた高周波増幅器）４２と、ＲＦＡＧＣ４２で増幅された無線信号を周波数変換するミキサ（混合器）４３と、周波数変換に用いるローカル信号を出力するＰＬＬ（Phase Locked Loop）４４と、妨害波信号を抑圧するＢＰＦ（Band Pass Filter、帯域通過型フィルタ）４５と、受信信号をＩＦ（中間周波）信号に周波数変換するミキサ４６及び４７と、周波数変換に用いるローカル信号を出力するＰＬＬ４９と、ＰＬＬ４９からのローカル信号の位相を調整するＰＯＬＹＰＨＡＳＥ（ポリフェイズフィルタ）４８と、２つのＩＦ信号を合成しイメージ帯域の妨害波を抑圧するＰＯＬＹＰＨＡＳＥ５０と、合成したＩＦ信号の上側の妨害波を抑圧するＢＰＦ５１と、ＢＰＦ５１を通過したＩＦ信号を増幅するＩＦＡＧＣ（自動利得制御機能を備えた中間周波増幅器）５２とを備えている。
【０００４】
図８は、地上波デジタル音声放送を受信する場合の地上波デジタル音声波とアナログテレビ信号波との周波数間隔を示す概念図の一例である。地上波デジタル音声放送波は、セグメントと呼ばれるＳｅｇ.１〜Ｓｅｇ.８の８つのセグメントが連結されて送信される。ここで、例えばＶＨＦ帯の７ｃｈにデジタル音声放送波が送信される場合、６ｃｈのアナログテレビ音声搬送波と８ｃｈのアナログテレビ映像搬送波が両側に存在するため、地上波デジタル音声放送波を受信する場合にはアナログテレビ搬送波が妨害波となる。特に、地上波デジタル音声放送波の両端のセグメントＳｅｇ.１とＳｅｇ.８は妨害波と最も隣接した関係になっているので、妨害波の影響を受け易くなっている。
【０００５】
図７に示す無線受信装置では、ＢＰＦ４５で地上波デジタル音声放送波の両側に存在する妨害波をある程度抑圧することができる。ミキサ４６，４７及びＰＯＬＹＰＨＡＳＥ５０でイメージ帯域の抑圧を行う。Ｓｅｇ.８を受信する場合、図９の（ａ）に示すように、ＰＬＬ４９から出力されるローカル信号の周波数をＳｅｇ.８の周波数よりもＩＦ周波数だけ低い周波数とする。これにより、ＰＯＬＹＰＨＡＳＥ５０でイメージ帯域となるローカル周波数の下側の６ｃｈアナログテレビ音声搬送波による妨害波（アナログテレビ妨害波）を抑圧できる。また、図９の（ｂ）に示すように、ＢＰＦ５１にて上側の８ｃｈアナログテレビ映像搬送波による妨害波（アナログテレビ妨害波）を抑圧することによりＳｅｇ.８の信号が受信可能となる。
【０００６】
Ｓｅｇ.１を受信する場合は、図１０の（ａ）に示すように、ＰＬＬ４９から出力されるローカル信号の周波数をＳｅｇ.１の周波数よりもＩＦ周波数だけ高い周波数とする。これにより、ＰＯＬＹＰＨＡＳＥ５０にてイメージ帯域となるローカル周波数の上側の８ｃｈアナログテレビ映像搬送波（アナログテレビ妨害波）を抑圧できる。その際、Ｓｅｇ.１はローカル周波数に対して反転することになるので、図１０の（ｂ）に示すように、ＢＰＦ５１にて上側の６ｃｈアナログテレビ音声搬送波（アナログテレビ妨害波）を抑圧することによりＳｅｇ.１の信号が受信可能となる。
【０００７】
【特許文献１】米国特許第６,３７７，３１５号
【発明の開示】
【発明が解決しようとする課題】
【０００８】
しかしながら、従来の無線受信装置においては、以下に示すような問題がある。
（１）アナログテレビ妨害波の電力レベルが地上波デジタル音声放送波の電力レベルよりも大きいときはＢＰＦ４５の減衰量を大きくする必要があるが、この減衰量を大きくするとＢＰＦ４５の通過帯域の損失が大きくなり、受信信号の感度が劣化することになる。
【０００９】
（２）ＰＯＬＹＰＨＡＳＥ５０では、ミキサ４６及び４７それぞれに入力されるローカル信号に直交誤差が生じると、イメージ帯域を除去する減衰量が劣化する。
【００１０】
（３）ＢＰＦ５１では、Ｓｅｇ.１を受信する際には図１０の（ｂ）に示すように受信信号に対して７４９ｋＨｚ離れた妨害波を抑圧する必要があり、またＳｅｇ.８を受信する際には図９の（ｂ）に示すように受信信号に対して１．３２１ＭＨｚ離れた妨害波を抑圧する必要があるが、受信信号と妨害波が近接しているために妨害波の抑圧量を大きく取れない。
【００１１】
本発明は、係る事情に鑑みてなされたものであり、受信信号の感度を劣化させることなく、受信信号の両側に存在する妨害波を確実に抑圧することができる無線受信装置を提供することを目的とする。
【課題を解決するための手段】
【００１２】
上記目的は下記構成により達成される。
（１）  無線受信装置において、受信された無線信号の妨害波成分を抑圧する帯域通過型フィルタと、周波数変換に用いるローカル信号を出力する局部発振部と、前記局部発振部から出力されたローカル信号の位相を９０度ずらす位相調整部と、前記帯域通過型フィルタを通過した無線信号を前記局部発振部から出力されたローカル信号を用いて周波数変換する第１の周波数変換部と、前記帯域通過型フィルタを通過した無線信号を前記位相調整部で位相調整されたローカル信号を用いて周波数変換する第２の周波数変換部と、前記第１の周波数変換部から出力された信号と前記第２の周波数変換部から出力された信号とを合成する合成部と、前記合成部から出力された信号の直流成分を抑圧する直流成分抑圧部と、前記直流成分抑圧部から出力された信号の希望波成分よりも高い周波数帯の妨害波成分を抑圧する低域通過型フィルタと、を備え、前記希望波成分の周波数よりも低い周波数帯に存在する妨害波成分が直流成分に周波数変換されるように前記局部発振部の出力周波数を調整する。
【００１３】
（２）  無線受信装置において、受信された無線信号の妨害波成分を抑圧する帯域通過型フィルタと、周波数変換に用いるローカル信号を出力する局部発振部と、前記局部発振部から出力されたローカル信号の位相を９０度ずらす位相調整部と、前記帯域通過型フィルタを通過した無線信号を前記局部発振部から出力されたローカル信号を用いて周波数変換する第１の周波数変換部と、前記帯域通過型フィルタを通過した無線信号を前記位相調整部で位相調整されたローカル信号を用いて周波数変換する第２の周波数変換部と、前記第１の周波数変換部から出力された信号と前記第２の周波数変換部から出力された信号とを合成する合成部と、前記合成部から出力された信号の直流成分近傍を抑圧する直流成分近傍抑圧部と、前記直流成分近傍抑圧部から出力された信号の希望波成分よりも高い周波数帯の妨害波成分を抑圧する低域通過型フィルタと、を備え、前記希望波成分の周波数よりも低い周波数帯に存在する妨害波成分が直流成分近傍に周波数変換されるように前記局部発振部の出力周波数を調整する。
【００１４】
（３）  無線受信装置において、受信された無線信号の妨害波成分を抑圧する帯域通過型フィルタと、周波数変換に用いるローカル信号を出力する局部発振部と、前記局部発振部から出力されたローカル信号の位相を９０度ずらす位相調整部と、前記帯域通過型フィルタを通過した無線信号を前記局部発振部から出力されたローカル信号を用いて周波数変換する第１の周波数変換部と、前記帯域通過型フィルタを通過した無線信号を前記位相調整部で位相調整されたローカル信号を用いて周波数変換する第２の周波数変換部と、前記第１の周波数変換部から出力された信号と前記第２の周波数変換部から出力された信号とを合成する合成部と、前記合成部から出力された信号の直流成分を抑圧する直流成分抑圧部と、前記直流成分抑圧部から出力された信号の希望波成分よりも高い周波数帯の妨害波成分を抑圧する低域通過型フィルタと、を備え、前記希望波成分の周波数よりも高い周波数帯に存在する妨害波成分が直流成分に周波数変換されるように前記局部発振部の出力周波数を調整する。
【００１５】
（４）  無線受信装置において、受信された無線信号の妨害波成分を抑圧する帯域通過型フィルタと、周波数変換に用いるローカル信号を出力する局部発振部と、前記局部発振部から出力されたローカル信号の位相を９０度ずらす位相調整部と、前記帯域通過型フィルタを通過した無線信号を前記局部発振部から出力されたローカル信号を用いて周波数変換する第１の周波数変換部と、前記帯域通過型フィルタを通過した無線信号を前記位相調整部で位相調整されたローカル信号を用いて周波数変換する第２の周波数変換部と、前記第１の周波数変換部から出力された信号と前記第２の周波数変換部から出力された信号とを合成する合成部と、前記合成部から出力された信号の直流成分近傍を抑圧する直流成分近傍抑圧部と、前記直流成分近傍抑圧部から出力された信号の希望波成分よりも高い周波数帯の妨害波成分を抑圧する低域通過型フィルタと、を備え、前記希望波成分の周波数よりも高い周波数帯に存在する妨害波成分が直流成分近傍に周波数変換されるように前記局部発振部の出力周波数を調整する。
【発明の効果】
【００１６】
上記（１）に記載の無線受信装置では、希望波成分の周波数よりも低い周波数帯に存在する妨害波成分を直流成分に周波数変換するために局部発振部の出力周波数を調整する一方、低域通過型フィルタで希望波成分よりも高い周波数帯の妨害波成分を抑圧するので、受信特性の向上が図れる。具体的には、希望波成分として地上波デジタル音声放送のセグメント１（Ｓｅｇ.１）を受信する場合で、希望波成分の下側に６ｃｈアナログテレビ音声搬送波が存在し、上側に８ｃｈアナログテレビ映像搬送波が存在する場合、希望波成分に近い６ｃｈアナログテレビ音声搬送波に対してローカル信号の周波数を合わせて６ｃｈアナログテレビ音声搬送波を直流成分に変換しそれを直流成分抑圧部にて抑圧し、８ｃｈアナログテレビ映像搬送波を低域通過型フィルタにて抑圧する。なお、直流成分抑圧部としては、直流カットコンデンサが好適である。
【００１７】
上記（２）に記載の無線受信装置では、希望波成分の周波数よりも低い周波数帯に存在する妨害波成分が直流成分近傍に周波数変換されるようにローカル信号の周波数を調整する。
【００１８】
上記（３）に記載の無線受信装置では、希望波成分の周波数よりも高い周波数帯に存在する妨害波成分を直流成分に周波数変換するために局部発振部の出力周波数を調整する一方、低域通過型フィルタで希望波成分よりも高い周波数帯の妨害波成分を抑圧するので、受信特性の向上が図れる。具体的には、希望波成分として地上波デジタル音声放送のセグメント８（Ｓｅｇ.８）を受信する場合で、希望波成分の下側に６ｃｈアナログテレビ音声搬送波が存在し、上側に８ｃｈアナログテレビ映像搬送波が存在する場合、希望波成分に近い８ｃｈアナログテレビ映像搬送波に対してローカル信号の周波数を合わせて８ｃｈアナログテレビ映像搬送波を直流成分に変換しそれを直流成分抑圧部にて抑圧し、６ｃｈアナログテレビ音声搬送波を低域通過型フィルタにて抑圧する。なお、直流成分抑圧部としては、バンドエリミネーションフィルタ（帯域阻止型フィルタ）が好適である。
【００１９】
上記（４）に記載の無線受信装置では、希望波成分の周波数よりも高い周波数帯に存在する妨害波成分が直流成分近傍に周波数変換されるようにローカル信号の周波数を調整する。
【発明を実施するための最良の形態】
【００２０】
以下、本発明を実施するための好適な実施の形態について、図面を参照して詳細に説明する。
【００２１】
（実施の形態１）
図１は、本発明の実施の形態１に係る無線受信装置の概略構成を示すブロック図である。図１において、本実施の形態の無線受信装置１００は、入力端１０１と、ＢＰＦ（帯域通過型フィルタ）１０２と、ミキサ１０３及び１０４と、ポリフェイズフィルタ（合成部）１０５と、直流カットコンデンサ１０６と、ＬＰＦ（低域通過型フィルタ）１０７と、位相器１０８と、ＰＬＬ１０９と、出力端１１０とを備えて構成される。
【００２２】
入力端１０１には、図示せぬ受信部より無線信号が入力される。ＢＰＦ１０２は、無線信号に含まれる妨害波成分を抑圧する。ＢＰＦ１０２にて妨害波成分が抑圧された無線信号はミキサ１０３及び１０４夫々に入力される。ミキサ１０３は、ＢＰＦ１０２で妨害波成分が抑圧された無線信号をＰＬＬ１０９からのローカル信号によって周波数変換する。位相器１０８は、ＰＬＬ１０９から出力されたローカル信号の位相を９０度ずらす。ミキサ１０４は、ＢＰＦ１０２で妨害波成分が抑圧された無線信号を位相器１０８で９０度位相がずらされたＰＬＬ１０９からのローカル信号によって周波数変換する。ポリフェイズフィルタ１０５は、ミキサ１０３及び１０４夫々から出力されたＩＦ（Intermediate Frequency、中間周波）信号に対しイメージ帯域を除去して合成する。直流カットコンデンサ１０６は、ポリフェイズフィルタ１０５から出力された信号の直流成分を除去する。ＬＰＦ１０７は、ポリフェイズフィルタ１０５から出力された信号の希望波成分よりも高い周波数帯の妨害波成分を抑圧する。ＬＰＦ１０７を通過した信号は出力端１１０から出力される。
【００２３】
次に、本実施の形態に係る無線受信装置１００の動作を説明する。図２は、無線受信装置１００を用いて地上波デジタル音声放送のセグメント１（Ｓｅｇ.１）を受信する場合の地上波デジタル音声放送波とアナログテレビ妨害波との周波数間隔を示す概念図である。また、図３は、無線受信装置１００を用いて地上波デジタル音声放送のセグメント８（Ｓｅｇ.８）を受信する場合の地上波デジタル音声放送波とアナログテレビ妨害波との周波数間隔を示す概念図である。
【００２４】
ここで、無線信号の一例として、図８に示すＶＨＦ帯の７ｃｈに地上波デジタル音声放送波、６ｃｈにアナログテレビ音声搬送波、８ｃｈにアナログテレビ映像搬送波が存在する場合を考える。この場合、希望波成分となる地上波デジタル音声放送波の下側に６ｃｈのアナログテレビ音声搬送波が存在し、上側に８ｃｈのアナログテレビ映像搬送波が存在する関係となる。現在、東京で試験放送がされている地上波デジタル音声放送波を例にとると、８ｃｈのアナログテレビ映像搬送波は地上波デジタル音声放送波よりも２０ｄＢ程度高い電力で東京タワーから送信されており、地上波デジタル音声放送波に対して大きな妨害波となる。同様に６ｃｈのアナログテレビ音声搬送波は１４ｄＢ程度高い電力で送信されており、こちらも大きな妨害波となる。
【００２５】
まずセグメント１（Ｓｅｇ.１）を受信する場合を考える。入力端１０１に入力された無線信号は、ＢＰＦ１０２によって受信波成分の両側に位置する妨害波成分が抑圧される。また、ＰＬＬ１０９のローカル信号の出力周波数ｆＬＯが６ｃｈのアナログテレビ音声搬送波の周波数と同じ周波数になるように調整される。この調整は予めＰＬＬ１０９にその機能を持たせてＰＬＬ１０９自身にて行うか、あるいはＣＰＵ（Central Processing Unit）を用いた制御部（図示略）によって行うようにする。このとき図２の（ａ）に示すように、ミキサ１０３，１０４で周波数変換された後のＩＦ周波数ｆＩＦが受信セグメントの中心周波数ｆＲＦとローカル信号の周波数ｆＬＯの差となる。ミキサ１０３，１０４で周波数変換され、ポリフェイズフィルタ１０５で合成された信号は直流カットコンデンサ１０６に入力される。図２の（ｂ）に示すように６ｃｈのアナログテレビ音声搬送波は直流成分と同じ周波数関係となるので、直流カットコンデンサ１０６により直流成分と共に抑圧される。８ｃｈのアナログテレビ映像搬送波はＬＰＦ１０７により抑圧される。
【００２６】
ここで従来技術の図１０と比較すると、８ｃｈのアナログテレビ映像搬送波については、従来技術ではポリフェイズフィルタ５０のイメージ帯域減衰効果を用いて減衰させている。この減衰量はローカル信号の直交誤差等の影響を受けるため、一般に減衰量を３０ｄＢ程度確保するのが限界となる。一方、本発明の技術では８ｃｈのアナログテレビ映像搬送波をＬＰＦ１０７用いて抑圧している。８ｃｈのアナログテレビ映像搬送波と受信セグメント（Ｓｅｇ.１）は４．３ＭＨｚ程度（正確には４．３２４ＭＨｚ）離れているので、ＬＰＦ１０７のカットオフ周波数を１ＭＨｚ程度に設定すれば、８ｃｈのアナログテレビ映像搬送波の減衰量は容易に３０ｄＢ以上確保でき、従来技術に対して有利である。
【００２７】
一方、６ｃｈのアナログテレビ音声搬送波については、従来技術ではＢＰＦ５１で抑圧しているが、Ｓｅｇ.１の周波数と６ｃｈのアナログテレビ音声搬送波の周波数が０．７５ＭＨｚ（正確には７４９ｋＨｚ）しか離れていないため、減衰量を確保することが難しくなる。一方、本発明の技術では、６ｃｈのアナログテレビ音声搬送波を直流カットコンデンサ１０６で抑圧している。一般に直流カットコンデンサによる抑圧量は３０ｄＢ以上確保できるため、従来技術に対して有利である。
【００２８】
次に、セグメント８（Ｓｅｇ.８）を受信する場合を考える。入力端１０１に入力された無線信号は、ＢＰＦ１０２によって受信波成分の両側に位置する妨害波成分が抑圧される。また、ＰＬＬ１０９のローカル信号の出力周波数ｆＬＯが８ｃｈのアナログテレビ映像搬送波の周波数と同じ周波数に調整される。この調整は、上述したように予めＰＬＬ１０９にその機能を持たせてＰＬＬ１０９自身にて行うか、あるいはＣＰＵを用いた制御部（図示略）によって行うようにする。このとき、図３の（ａ）に示すように、ミキサ１０３，１０４で周波数変換された後のＩＦ周波数ｆＩＦが受信セグメントの中心周波数ｆＲＦとローカル信号の周波数ｆＬＯの差となる。ミキサ１０３，１０４で周波数変換され、ポリフェイズフィルタ１０５で合成された信号は直流カットコンデンサ１０６に入力される。図３の（ｂ）に示すように８ｃｈのアナログテレビ映像搬送波は直流成分と同じ周波数関係となるので、直流カットコンデンサ１０６により直流成分と共に抑圧される。６ｃｈのアナログテレビ音声搬送波は低域通過型フィルタ１０７により抑圧される。直流カットコンデンサ１０６は、３０ｄＢ以上抑圧できるので、従来のポリフェイズフィルタ５０で抑圧するよりも大きな効果が得られる。
【００２９】
ここで従来技術の図１０と比較すると、６ｃｈのアナログテレビ音声搬送波については、従来技術では、上述したようにポリフェイズフィルタ５０のイメージ帯域減衰効果を用いて減衰させている。この減衰量はローカル信号の直交誤差等の影響を受けるため、一般に減衰量を３０ｄＢ程度確保するのが限界となる。一方、本発明の技術では６ｃｈのアナログテレビ音声搬送波を低域通過型フィルタ１０７にて抑圧している。６ｃｈのアナログテレビ音声搬送波と受信セグメント（Ｓｅｇ.８）は３．７５２ＭＨｚ離れているので、低域通過型フィルタ１０７のカットオフ周波数を１ＭＨｚ程度に設定すれば、６ｃｈのアナログテレビ音声搬送波の減衰量は容易に３０ｄＢ以上確保でき、従来技術に対して有利である。
【００３０】
また、８ｃｈのアナログテレビ映像搬送波については、従来技術では帯域通過型フィルタ５１で減衰させているが、Ｓｅｇ.８の周波数と８ｃｈのアナログテレビ映像搬送波の周波数が１．３２１ＭＨｚしか離れていないため、減衰量を確保することが難しくなる。一方、本発明の技術では、８ｃｈのアナログテレビ映像搬送波を直流カットコンデンサ１０６にて抑圧している。一般に直流カットコンデンサによる抑圧量は３０ｄＢ以上確保できるため、従来技術に対して有利である。
【００３１】
本実施の形態では、Ｓｅｇ.１とＳｅｇ.８についてのみ説明したが、その他のセグメントについても適用可能である。例えば、Ｓｅｇ.２〜Ｓｅｇ.４については本実施の形態で説明したＳｅｇ.１を受信する方法を適用し、Ｓｅｇ.５〜７については本実施の形態で説明したＳｅｇ.８を受信する方法を適用する等の方法が考えられる。
【００３２】
このように本実施の形態の無線受信装置１００によれば、希望波成分として例えば地上波デジタル音声放送のセグメント１（Ｓｅｇ.１）を受信する場合で、希望波成分の下側に６ｃｈアナログテレビ音声搬送波が存在し、上側に８ｃｈアナログテレビ映像搬送波が存在する場合は、希望波成分に近い６ｃｈアナログテレビ音声搬送波に対してローカル信号の周波数を合わせて６ｃｈアナログテレビ音声搬送波を直流成分に変換しそれを直流カットコンデンサ１０６にて抑圧し、８ｃｈアナログテレビ映像搬送波を低域通過型フィルタ１０７にて抑圧し、一方、希望波成分として例えば地上波デジタル音声放送のセグメント８（Ｓｅｇ.８）を受信する場合で、希望波成分の下側に６ｃｈアナログテレビ音声搬送波が存在し、上側に８ｃｈアナログテレビ映像搬送波が存在する場合は、希望波成分に近い８ｃｈアナログテレビ映像搬送波に対してローカル信号の周波数を合わせて８ｃｈアナログテレビ映像搬送波を直流成分に変換しそれを直流カットコンデンサ１０６にて抑圧し、６ｃｈアナログテレビ音声搬送波を低域通過型フィルタ１０７にて抑圧する。これにより、従来技術よりも妨害波成分の抑圧量を大きく確保でき、前段の帯域通過型フィルタ１０２に求められる減衰量が小さくなる。そして、これに伴って通過帯域の損失も小さくできるので、受信感度の劣化を低減することが可能となる。また、抑圧量が従来技術と同程度で良いのであれば、低域通過型フィルタ１０７やポリフェイズフィルタ１０５の所要特性を緩和することができ、小型化並びにコスト削減が可能となる。
【００３３】
（実施の形態２）
図４は、本発明の実施の形態２に係る無線受信装置の概略構成を示すブロック図である。なお、図４において、前述した実施の形態１の無線受信装置と同一の構成要素には同一の符号を付し、その説明を省略する。本実施の形態の無線受信装置２００は、ポリフェイズフィルタ１０５の後段に直流カットコンデンサ１０６に代わってバンドエリミネーションフィルタ（ＢＥＦ、帯域阻止型フィルタ）２０１を設けた点が実施の形態１の無線受信装置と異なる。
【００３４】
次に、本実施の形態に係る無線受信装置２００の動作を説明する。図５は、無線受信装置２００を用いて地上波デジタル音声放送のセグメント１（Ｓｅｇ.１）を受信する場合の地上波デジタル音声放送波とアナログテレビ妨害波との周波数間隔を示す概念図である。また、図６は、無線受信装置２００を用いて地上波デジタル音声放送のセグメント８（Ｓｅｇ.８）を受信する場合の地上波デジタル音声放送波とアナログテレビ妨害波との周波数間隔を示す概念図である。
【００３５】
まずＳｅｇ.１を受信する動作について説明する。実施の形態１の無線受信装置と動作が異なる点は、ＰＬＬ１０９のローカル信号の周波数ｆＬＯを６ｃｈのアナログテレビ音声搬送波の周波数に近い周波数にする点である。一例として図５の（ａ）ではローカル信号の出力周波数ｆＬＯを６ｃｈのアナログテレビ音声搬送波の周波数ｆＲＦの下側近傍とする。なお、６ｃｈのアナログテレビ音声搬送波の周波数ｆＲＦの上側近傍としても良い。ミキサ１０３及び１０４で周波数変換され、ポリフェイズフィルタ１０５で合成された信号はバンドエリミネーションフィルタ２０１に入力される。図５の（ｂ）に示すように６ｃｈのアナログテレビ音声搬送波が直流成分近傍の周波数関係となるので、バンドエリミネーションフィルタ２０１により直流成分と共に抑圧される。８ｃｈのアナログテレビ映像搬送波は低域通過型フィルタ１０７によって抑圧される。
【００３６】
次に、Ｓｅｇ.８を受信する動作について説明する。実施の形態１の無線受信装置と動作が異なる点は、ＰＬＬ１０９のローカル信号の周波数ｆＬＯを８ｃｈのアナログテレビ映像搬送波の周波数に近い周波数にする点である。一例として図６の（ａ）ではローカル信号の周波数ｆＬＯを８ｃｈのアナログテレビ映像搬送波の周波数ｆＲＦの下側近傍とする。なお、８ｃｈのアナログテレビ映像搬送波の周波数ｆＲＦの上側近傍としても良い。ミキサ１０３及び１０４で周波数変換され、ポリフェイズフィルタ１０５で合成された信号はバンドエリミネーションフィルタ２０１に入力される。図６の（ｂ）に示すように８ｃｈのアナログテレビ映像搬送波が直流成分近傍の周波数関係となるので、バンドエリミネーションフィルタ２０１により直流成分と共に抑圧される。６ｃｈのアナログテレビ音声搬送波は低域通過型フィルタ１０７により抑圧される。なお、本実施の形態における直流成分近傍とは、少なくとも直流成分と希望波成分との周波数差の１／２以下となる範囲で近傍であれば良い。
【００３７】
このように本実施の形態の無線受信装置２００によれば、実施の形態１に係る無線受信装置１００の直流カットコンデンサ１０６に代わってバンドエリミネーションフィルタ２０１を備え、ＰＬＬ１０９のローカル信号の周波数ｆＬＯを６ｃｈのアナログテレビ音声搬送波の周波数に近い周波数に設定した場合には、６ｃｈのアナログテレビ音声搬送波をバンドエリミネーションフィルタ２０１により直流成分と共に抑圧し、一方、ＰＬＬ１０９のローカル信号の周波数ｆＬＯを８ｃｈのアナログテレビ映像搬送波の周波数に近い周波数に設定した場合には、８ｃｈのアナログテレビ映像搬送波をバンドエリミネーションフィルタ２０１により直流成分と共に抑圧するようにした。これにより、上述した実施の形態１と同様に、従来技術よりも妨害波成分の抑圧量を大きく確保でき、前段の帯域通過型フィルタ１０２に求められる減衰量も小さくなる。そして、これに伴い通過帯域の損失も小さくできるので、受信感度の劣化を低減することが可能となる。また、抑圧量が従来技術と同程度で良いのであれば、低域通過型フィルタ１０７やポリフェイズフィルタ１０５の所要特性を緩和することができ、小型化、コスト削減が可能となる。
【００３８】
なお、本実施の形態では、バンドエリミネーションフィルタ２０１を用いたが、直流成分近傍の周波数成分を抑圧できるフィルタ、例えば高域通過型フィルタを用いても同様の効果を得ることができる。
【産業上の利用可能性】
【００３９】
本発明は、受信信号の感度を劣化させることなく、受信信号の両側に存在する妨害波を確実に抑圧することができるといった効果を有し、地上波デジタル音声放送を受信するラジオなどへの適用が可能である。
【図面の簡単な説明】
【００４０】
【図１】本発明の実施の形態１に係る無線受信装置の概略構成を示すブロック図
【図２】本発明の実施の形態１に係る無線受信装置を用いて地上波デジタル音声放送のセグメント１を受信する場合の地上波デジタル音声放送波とアナログテレビ妨害波との周波数間隔を示す概念図
【図３】本発明の実施の形態１に係る無線受信装置を用いて地上波デジタル音声放送のセグメント８を受信する場合の地上波デジタル音声放送波とアナログテレビ妨害波との周波数間隔を示す概念図
【図４】本発明の実施の形態２に係る無線受信装置の概略構成を示すブロック図
【図５】本発明の実施の形態２に係る無線受信装置を用いて地上波デジタル音声放送のセグメント１を受信する場合の地上波デジタル音声放送波とアナログテレビ妨害波との周波数間隔を示す概念図
【図６】本発明の実施の形態２に係る無線受信装置を用いて地上波デジタル音声放送のセグメント８を受信する場合の地上波デジタル音声放送波とアナログテレビ妨害波との周波数間隔を示す概念図
【図７】従来の無線受信装置の概略構成を示すブロック図
【図８】地上波デジタル音声放送を受信する場合の地上波デジタル音声波とアナログテレビ信号波との周波数間隔を示す概念図
【図９】従来の無線受信装置を用いて地上波デジタル音声放送のセグメント８を受信する場合の地上波デジタル音声放送波とアナログテレビ妨害波との周波数間隔を示す概念図
【図１０】従来の無線受信装置を用いて地上波デジタル音声放送のセグメント１を受信する場合の地上波デジタル音声放送波とアナログテレビ妨害波との周波数間隔を示す概念図
【符号の説明】
【００４１】
１００、２００  無線受信装置
１０１  入力端
１０２  帯域通過型フィルタ（ＢＰＦ）
１０３、１０４  ミキサ
１０５  ポリフェイズフィルタ
１０６  直流カットコンデンサ
１０７  低域通過型フィルタ（ＬＰＦ）
１０８  位相器
１０９  ＰＬＬ
２０１  帯域阻止型フィルタ（ＢＥＦ）
【図１】
0004717675.tif 000002
【図２】
0004717675.tif 000003
【図３】
0004717675.tif 000004
【図４】
0004717675.tif 000005
【図５】
0004717675.tif 000006
【図６】
0004717675.tif 000007
【図７】
0004717675.tif 000008
【図８】
0004717675.tif 000009
【図９】
0004717675.tif 000010
【図１０】
0004717675.tif 000011